(57)【要約】【課題】極めて軽く振っただけで芯７が繰り出せるとともに、携帯時には不必要な芯繰り出しを防止する。しかも、携帯時における不必要な芯繰り出しを防止した状態においてもノックによる芯７の繰り出しは行える振出式シャープペンシルに適用できる。【解決手段】携帯時に、中駒１４の係止突部１４Ｂを先部材１６の係止段１６Ａに係合させることにより、中駒１４が前リング５に当接する。すると、前リング５が後退して連結具４に当接し、連結具４の移動を防止する。【選択図】図１
2011068051.tif 000002
【特許請求の範囲】
【請求項１】
芯を軽く保持する芯ホルダーを設けた中駒と、中駒の前部に構成された芯ガイドと、中駒を長手方向に移動可能に内蔵する先部材と、前部に先部材を取り付けた軸筒と、前スプリングにより長手方向後方に付勢され芯を前進方向には許容するが後退方向には阻止する芯保持チャックと、芯保持チャックに設けられたボールをテーパー面により受け止める締具と、締具を長手方向に適宜移動可能に内蔵しかつ先部材内を長手方向に移動可能な連結具と、先部材内に長手方向に摺動可能に内蔵されかつ連結具と当接可能な前リングと、前記締具と係合可能な前部を有し前記連結具と長手方向に適宜移動可能に連結されたコネクターと、前記前スプリングより強い力でコネクターを長手方向後方に付勢するコイルスプリングと、コネクターに連結された芯タンクと、芯タンクの外側に長手方向に摺動可能に内蔵された重量体とを有し、先部材に係止段を形成するとともに、中駒に弾性片を形成し、中駒の弾性片に形成した係止部を先部材の係止段に係合可能に構成し、更に、中駒と前リングを当接可能に構成し、携帯時には中駒の係止部を先部材の係止段に係合させることにより、中駒が前リングに当接して前リングを連結具に当接し連結具の移動を防止するとともにコネクターにより押圧された締具と連動して芯保持チャックが前スプリングを圧縮しながら前進することにより芯を繰り出すことを特徴とする振出式シャープペンシル。
【請求項２】
芯を軽く保持する芯ホルダーを設けた中駒と、中駒の前部に構成された芯ガイドと、中駒を長手方向に移動可能に内蔵する先部材と、前部に先部材を取り付けた軸筒と、前スプリングにより長手方向後方に付勢され芯を前進方向には許容するが後退方向には阻止する芯保持チャックと、芯保持チャックに設けられた略半球状の突部をテーパー面により受け止められる締具と、締具を長手方向に適宜移動可能に内蔵しかつ先部材内を長手方向に移動可能な連結具と、先部材内に長手方向に摺動可能に内蔵されかつ連結具と当接可能な前リングと、前記締具と係合可能な前部を有し前記連結具と長手方向に適宜移動可能に連結されたコネクターと、前記前スプリングより強い力でコネクターを長手方向後方に付勢するコイルスプリングと、コネクターに連結された芯タンクと、芯タンクの外側に長手方向に摺動可能に内蔵された重量体とを有し、先部材に係止段を形成するとともに、中駒に弾性片を形成し、中駒の弾性片に形成した係止部を先部材の係止段に係合可能に構成し、更に、中駒と前リングを当接可能に構成し、携帯時には中駒の係止部を先部材の係止段に係合させることにより、中駒が前リングに当接して前リングを連結具に当接し連結具の移動を防止するとともにコネクターにより押圧された締具と連動して芯保持チャックが前スプリングを圧縮しながら前進することにより芯を繰り出すことを特徴とする振出式シャープペンシル。
【請求項３】
連結具の前部に長手方向に適宜摺動可能に前リングを連結したことを特徴とする請求項１又は２記載の振出式シャープペンシル。
【請求項４】
先部材と軸筒の間に前リングおよび連結具が内蔵され、かつ、前リングと軸筒の間を連結具が適宜摺動可能に構成するとともに、前リングと連結具の間を締具が適宜摺動可能に構成し、更に、連結具の摺動距離より締具の摺動距離を大きく構成したことを特徴とする請求項１乃至３のいずれか１項に記載の振出式シャープペンシル。
【発明の詳細な説明】
【技術分野】
【０００１】
本発明は、芯を前進方向には許容するが後退方向には阻止する芯保持チャックを内蔵した締具を、振ることにより生じる重量体の慣性力によって前進させ芯を繰り出す振出式シャープペンシルに関する。
【背景技術】
【０００２】
従来、芯を摩擦的に保持するスライダーを軸筒の先端に移動可能に設け、該スライダーの後方に芯の前進は許容するが後退は阻止するよう芯を保持する芯チャック部を形成し、上記スライダーを前方に付勢することにより筆記先端を紙面から離したとき芯が自動的に繰り出されるようにした筆記具において、芯タンク部の外周におもりが当接するようおもり受部を形成すると共に該おもり受部を前方に付勢し、筆記の際に筆記先端を紙面から離すと芯が自動的に繰り出されるようにしたいわゆる自動式シャープペンシルの機能と、軸筒（１）を振っておもり（２８）を軸方向に移動させると、スリーブ（２６）の後端におもり（２８）が衝撃的に当接し、上記チャック部（１６）が前進して芯を繰り出すいわゆる振り出し式シャープペンシルの機能を有する筆記具が知られている。また、スライダー（１１）は、スライダーばね（１３）により前方に付勢されているが、携行時に該スライダーが前進位置に突出して芯が繰り出されないよう後退位置に仮保持する機構が設けられている。（特許文献１参照）
【０００３】
しかしながら、上記した筆記具は、携行時スライダーを後退位置に仮保持して芯が繰り出されないようにしているために、不必要な芯の繰り出しがないという利点は得られるが、ノックして芯を繰り出すことが出来なくなってしまうという問題があった。
【先行技術文献】
【特許文献】
【０００４】
【特許文献１】特開２００７−２１８４３号公報
【発明の概要】
【発明が解決しようとする課題】
【０００５】
解決しようとする問題点は、振出式シャープペンシルにおいて、携帯時に振動が生じると不必要な芯繰り出しが行われてしまう点である。
【課題を解決するための手段】
【０００６】
本発明は、芯を軽く保持する芯ホルダーを設けた中駒と、中駒の前部に構成された芯ガイドと、中駒を長手方向に移動可能に内蔵する先部材と、前部に先部材を取り付けた軸筒と、前スプリングにより長手方向後方に付勢され芯を前進方向には許容するが後退方向には阻止する芯保持チャックと、芯保持チャックに設けられたボールをテーパー面により受け止める締具と、締具を長手方向に適宜移動可能に内蔵しかつ先部材内を長手方向に移動可能な連結具と、先部材内に長手方向に摺動可能に内蔵されかつ連結具と当接可能な前リングと、前記締具と係合可能な前部を有し前記連結具と長手方向に適宜移動可能に連結されたコネクターと、前記前スプリングより強い力でコネクターを長手方向後方に付勢するコイルスプリングと、コネクターに連結された芯タンクと、芯タンクの外側に長手方向に摺動可能に内蔵された重量体とを有し、先部材に係止段を形成するとともに、中駒に弾性片を形成し、中駒の弾性片に形成した係止部を先部材の係止段に係合可能に構成し、更に、中駒と前リングを当接可能に構成し、携帯時には中駒の係止部を先部材の係止段に係合させることにより、中駒が前リングに当接して前リングを連結具に当接し連結具の移動を防止するとともにコネクターにより押圧された締具と連動して芯保持チャックが前スプリングを圧縮しながら前進することにより芯を繰り出すことを第１の特徴とする。
【０００７】
また、芯を軽く保持する芯ホルダーを設けた中駒と、中駒の前部に構成された芯ガイドと、中駒を長手方向に移動可能に内蔵する先部材と、前部に先部材を取り付けた軸筒と、前スプリングにより長手方向後方に付勢され芯を前進方向には許容するが後退方向には阻止する芯保持チャックと、芯保持チャックに設けられた略半球状の突部をテーパー面により受け止める締具と、締具を長手方向に適宜移動可能に内蔵しかつ先部材内を長手方向に移動可能な連結具と、先部材内に長手方向に摺動可能に内蔵されかつ連結具と当接可能な前リングと、前記締具と係合可能な前部を有し前記連結具と長手方向に適宜移動可能に連結されたコネクターと、前記前スプリングより強い力でコネクターを長手方向後方に付勢するコイルスプリングと、コネクターに連結された芯タンクと、芯タンクの外側に長手方向に摺動可能に内蔵された重量体とを有し、先部材に係止段を形成するとともに、中駒に弾性片を形成し、中駒の弾性片に形成した係止部を先部材の係止段に係合可能に構成し、更に、中駒と前リングを当接可能に構成し、携帯時には中駒の係止部を先部材の係止段に係合させることにより、中駒が前リングに当接して前リングを連結具に当接し連結具の移動を防止するとともにコネクターにより押圧された締具と連動して芯保持チャックが前スプリングを圧縮しながら前進することにより芯を繰り出すことを第２の特徴とする。
【０００８】
更に、連結具の前部に長手方向に適宜摺動可能に前リングを連結したことを第３の特徴とする。
【０００９】
更にまた、先部材と軸筒の間に前リングおよび連結具が内蔵され、かつ、前リングと軸筒の間を連結具が適宜摺動可能に構成するとともに、前リングと連結具の間を締具が適宜摺動可能に構成し、更に、連結具の摺動距離より締具の摺動距離を大きく構成したことを第４の特徴とする。
【発明の効果】
【００１０】
本発明の振出式シャープペンシルは、極めて軽く振っただけで芯が繰り出せるとともに、携帯時には中駒の係止部を先部材の係止段に係合させることにより、中駒が前リングに当接して前リングを連結具に当接し、連結具の移動を防止して携帯時における不必要な芯の繰り出しを防止し、更に、携帯時における不必要な芯の繰り出しを防止した状態でもノックによる芯の繰り出しは行うことができるという効果が奏せられるものである。
【図面の簡単な説明】
【００１１】
【図１】図１は本発明の実施例１の振出式シャープペンシルを示す断面図である。（実施例１）
【図２】図２は本発明の実施例１の振出式シャープペンシルにおける機構部を示す主要部拡大平面図である。（実施例１）
【図３】図３は本発明の実施例１の振出式シャープペンシルにおける芯繰出状態を示す主要部拡大断面図である。（実施例１）
【図４】図４は本発明の実施例１の振出式シャープペンシルにおける芯追従状態を示す主要部拡大断面図である。（実施例１）
【図５】図５は本発明の実施例１の振出式シャープペンシルにおける携帯状態を示す主要部拡大断面図である。（実施例１）
【図６】図６は本発明の実施例２の振出式シャープペンシルにおける機構部を示す主要部拡大平面図である。（実施例２）
【図７】図７は本発明の実施例２の振出式シャープペンシルにおける機構部を示す主要部拡大断面図である。（実施例２）
【図８】図８は本発明の実施例３の振出式シャープペンシルを示す主要部拡大断面図である。（実施例３）
【発明を実施するための形態】
【００１２】
極めて軽く振っただけで芯が繰り出せ、かつ、携帯時には振動が生じても不必要な芯の繰り出しは防止するがノックによる芯の繰り出しは行える振出式シャープペンシルを実現した。
【実施例１】
【００１３】
以下、図１、図２、図３、図４及び図５に基づいて本発明における実施例１の振出式シャープペンシルを説明する。また、図１の左側を前方とし右側を後方とする。先ず、半割りされた２つの片１Ａを合わせて円筒状の芯保持チャック１を形成し、この芯保持チャック１の内側に凹凸を設けた芯保持部１Ｂを形成する。この芯保持チャック１の外側に凹部１Ｃを形成し、この凹部１Ｃにそれぞれボール２を回動可能に配置する。この芯保持チャック１をテーパー面３Ａを有する締具３に内蔵する。この締具３を連結具４内に長手方向に摺動可能に内蔵する。連結具４は、前部に２つの摺動窓４Ａを相対位置に形成するとともに、摺動窓４Ａの前部に前端より摺動窓４Ａに連通した係止溝４Ｂを形成する。また、前リング５には後方に伸びた２つの隆起部５Ａを相対位置に形成し、その後部は幅を大きくした係止部５Ｂを形成する。この前リング５を連結具４の前方より挿入し、前記前リング５の係止部５Ｂが連結具４の係止溝４Ｂを広げて通過し、前リング５の係止部５Ｂが連結具４の摺動窓４Ａ内に挿入される。この時、前リング５の係止部５Ｂは連結具４の摺動窓４Ａ内を長手方向に適宜摺動可能に構成される。前記前リング５の前部内段５Ｃと前記芯保持チャック１の外段１Ｄとの間に取付時荷重が１０ｇ程度で前スプリング６を張架する。従って、芯保持チャック１は長手方向後方に押されてボール２が締具３のテーパー面３Ａに押圧され、芯保持チャック１が閉じられる。この時、芯保持チャック１により保持される芯７は、長手方向前方には抵抗なく移動できるが、長手方向後方には締具３とボール２の間でくさび作用が働き強い力で保持される。
【００１４】
前記連結具４の後部には内鍔４Ｃが形成される。また、コネクター８の周面には係止鍔８Ａが形成され、この係止鍔８Ａは前面がテーパー面で後面が垂直面に形成される。このコネクター８の係止鍔８Ａより前方に位置する前部外鍔８Ｂは切溝により複数に分割され、前記締具３の後部と摩擦嵌合可能に形成されている。
【００１５】
このコネクター８の前部外鍔８Ｂおよび係止鍔８Ａを連結具４の後方より挿入し、係止鍔８Ａが連結具４の内鍔４Ｃに係止されることによってコネクター８の抜けが防止される。また、連結具４の後部外段４Ｄとコネクター８の外段８Ｃとの間に取付時荷重が３００ｇ程度のコイルスプリング９が張架され、通常コネクター８の係止鍔８Ａが連結具４の内鍔４Ｃに係止され、連結具４とコネクター８が連結される。この時、コネクター８の前部外鍔８Ｂと締具３の後部とは適宜離間されている。また、コネクター８に固着された金属製のガイドパイプ１０は先端が芯保持チャック１の後部に挿入されているが、通常ガイドパイプ１０の先端と芯保持チャック１の後部は適宜離間されて構成されている。このコネクター８の後部には合成樹脂パイプ製の芯タンク１１が圧入固着され、この芯タンク１１内に予備の芯７が貯蔵されている。以上、前リング５、連結具４、締具３、前スプリング６、芯保持チャック１、ボール２、コネクター８、コイルスプリング９、ガイドパイプ１０および芯タンク１１により機構部が構成される。この状態では機構部の部品は外れてバラバラになる恐れはない。
【００１６】
前記機構部を軸筒１２の前方から挿入する。また、ゴム製の芯ホルダー１３を内蔵した中駒１４の後部外側を複数に分割して弾性片１４Ａを形成し、この弾性片１４Ａの後部外側にそれぞれ係止突部１４Ｂを形成する。また、中駒１４の前部にステンレスパイプ製の芯ガイド１５を圧入固着する。この中駒１４を先部材１６に長手方向に摺動可能に内蔵し、芯ガイド１５を先部材１６の先端より突出させる。この時、中駒１４の係止突部１４Ｂは先部材１６の内面と摩擦接触する。この先部材１６を軸筒１２の前部に着脱可能に螺合することによって、先部材１６の係止段１６Ａに前記前リング５を当接するとともに軸筒１２の前端に連結具４の外段４Ｅを当接し、前リング５および連結具４が長手方向に適宜摺動可能に取り付けられる。尚、前リング５に対する連結具４の移動距離より、前リング５に対する締具３の移動距離の方が長く設定される。また、前記芯ホルダー１３は２０ｇ程度の摩擦力で芯７を保持するが、この摩擦力は前記中駒１４の係止突部１４Ｂが先部材１６の内面に摩擦接触する摩擦力より小さく設定される。
【００１７】
前記軸筒１２にはゴム製のグリップ１７が取り付けられ、更に、軸筒１２の後方から円筒状の重量体１８を摺動可能に芯タンク１１に外嵌する。
【００１８】
中子１９の後部筒部１９Ａに上下に相対させて係止窓１９Ｂを形成する。また、押圧部材２０の前部筒部２０Ａに上下に相対させて係止突起２０Ｂを形成するとともに、前部筒部２０Ａの両側に開口窓２０Ｃを形成し、係止突起２０Ｂを形成した前部筒部２０Ａが弾性変形可能に構成される。この押圧部材２０の後部には外段２０Ｄを形成するとともに、その後方の上下には外方に突出したキー２０Ｅをそれぞれ形成する。前記中子１９をクリップ２１を一体に形成した鞘２２の前方から挿入するとともに、鞘２２の後方から鞘２２のキー溝２２Ａに押圧部材２０のキー２０Ｅを合わせて押圧部材２０を挿入し、中子１９の係止窓１９Ｂに押圧部材２０の係止突起２０Ｂを係止し、中子１９と押圧部材２０を連結する。また、鞘２２の内鍔２２Ｂと押圧部材２０の外段２０Ｄとの間に４００ｇ程度の取付時荷重でリターンスプリング２３を張架する。従って、押圧部材２０および中子１９は長手方向後方に付勢され、中子１９が鞘２２の内鍔２２Ｂに当接される。更に、押圧部材２０の後部内側には消しゴム２４が取り付けられるとともに消しゴム２４を覆うノブ２５が着脱可能に取り付けられる。
【００１９】
この鞘２２を前記軸筒１２の後部に着脱可能に螺合し、中子１９の前部内孔１９Ｃ内に芯タンク１１の後部を挿入し、芯タンク１１の後端と中子１９の内鍔１９Ｄを適宜離間して構成する。また、芯タンク１１に外嵌された重量体１８は、コネクター８の後端と中子１９の前端の間を摺動可能に構成される。更に、芯タンク１１の後端より、中子１９の内鍔１９Ｄに形成された内孔、および押圧部材２０の内孔は貫通して構成され、ノブ２５および消しゴム２４を外せば、押圧部材２０の後方から芯７が補充できる構成になっている。
【００２０】
次に筆記を行い芯７が消耗した場合には、軸筒１２を振ることにより重量体１８が長手方向に摺動し、重量体１８がコネクター８に当接すると、コイルスプリング９を介して連結具４が押され、重量体１８の慣性力によって前スプリング６が圧縮される。すると、連結具４とともに締具３および芯保持チャック１が前進する。また、芯保持チャック１により保持された芯７も芯ホルダー１３内を滑って前進する。この時、前スプリング６の取付時荷重は１０ｇ程度で、芯ホルダー１３による芯保持力は２０ｇ程度であり、合わせても３０ｇ程度と非常に小さい力で芯７を繰り出せるので、極めて軽く振っても芯７が繰り出せるものである。
【００２１】
そして、前リング５の係止部５Ｂに連結具４の摺動窓４Ａに形成された後端縁４Ｆが当接すると連結具４の前進が停止され図３に示した状態となる。すると、前スプリング６により後方に付勢された連結具４、締具３、芯保持チャック１が後退させられる。この時、芯７は芯保持チャック１内を前進方向には抵抗なく移動できるので、芯保持チャック１が後退しても、芯７は芯ホルダー１３に保持され、芯ホルダー１３を内蔵する中駒１４は係止突部１４Ｂが先部材１６の内面と芯ホルダー１３による芯保持力より強い力で摩擦接触しているので、芯７は後退することはない。従って、連結具４が前進した距離だけ芯７が繰り出される。
【００２２】
更に、使用中の芯７が短くなり次の芯７を追従させる場合には、ノブ２５を押圧して芯タンク１１を前進させる。すると、最初に連結具４が前進し、連結具４の摺動窓４Ａに形成された後端縁４Ｆが前リング５の係止部５Ｂに当接され連結具４が停止する。更にノブ２５を押圧すると、コイルスプリング９を圧縮して芯タンク１１およびコネクター８が前進し、コネクター８の数分割された前部外鍔８Ｂが締具３に押圧される。従って、コネクター８とともに締具３が前進し、締具３の前端が前リング５に当接される。更にコネクター８が前進すると、コネクター８の前部外鍔８Ｂが締具３の内面に摩擦係合しながら前進する。そして、ガイドパイプ１０が芯保持チャック１に当接すると芯保持チャック１を前進させながら拡開し図４に示した状態となる。芯保持チャック１が開くと、芯タンク１１内の芯７がガイドパイプ１０を通って芯保持チャック１内に追従され、短くなった芯７の後端に当接される。
【００２３】
次に、ノブ２５の押圧を解除すると、コイルスプリング９によってコネクター８が後退させられる。この時、コネクター８の前部外鍔８Ｂが締具３の内面に摩擦係合しているために締具３も後退させられるが、ガイドパイプ１０に押された芯保持チャック１は開いた状態で後退するので芯保持チャック１内に追従された芯７は後退することはない。そして、締具３の外段３Ｂが連結具４の内段４Ｇに当接すると締具３は停止されるが、コネクター８は更に後退し、締具３の内面よりコネクター８の前部外鍔８Ｂが外れるとともに、芯保持チャック１を押していたガイドパイプ１０が芯保持チャック１から離間する。すると、芯保持チャック１が閉じられるとともに連結具４が後退して連結具４の外段４Ｅが軸筒１２の前端に当接される。この操作を１〜２回繰り返すと、芯ホルダー１３内に保持されていた短芯７が次の芯７に押されて排出され、次の芯７が芯ホルダー１３内に押し込まれて図１の状態に復帰し、通常の筆記を行うことができる。
【００２４】
また、携帯する場合には、先ずノブ２５を押圧して芯保持チャック１を拡開し、この状態で芯ガイド１５の先端を紙面等で押圧して後退させ、中駒１４の係止突部１４Ｂを先部材１６の係止段１６Ａに係合させる。この時、中駒１４の係止突部１４Ｂの後端が前リング５の前端に当接し、前リング５を後退させて隆起部５Ａの後端が連結具４の摺動窓４Ａに形成された後端縁４Ｆに当接され図５に示した状態となる。従って、連結具４は長手方向に移動できない状態となる。この状態で携帯時に振動が発生すると、重量体１８が摺動してコネクター８に当接する。すると、コイルスプリング９を介して連結具４に前方への押圧力が加えられるが、連結具４は前リング５により受け止められているので前進することはない。すると、重量体１８の慣性力はコイルスプリング９を圧縮しようとするが、取付時荷重が３００ｇ程度のコイルスプリング９を圧縮させるだけの押圧力は発生しないので芯７は繰り出されない。しかし、手動によりノブ２５を押圧した場合には、コイルスプリング９およびリターンスプリング２３を圧縮させて芯タンク１１およびコネクター８が前進し、コネクター８の前部外鍔８Ｂが締具３を押圧して前進させる。したがって、前述した芯７を追従させる場合と同様に締具３が移動した距離だけ芯７が繰り出される。従って、振り出しによる芯繰り出しを防止した状態でもノックによる芯繰り出しは行うことができる。
【００２５】
次に、筆記状態に戻す場合には、ノブ２５を強く押圧して芯保持チャック１を前進させ、芯保持チャック１を中駒１４に当接し中駒１４を前進させることにより中駒１４の係止突部１４Ｂが先部材１６の係止段１６Ａより外れ図１に示した筆記状態に復帰する。
【実施例２】
【００２６】
以下、図６及び図７に基づいて本発明における実施例２の振出式シャープペンシルを説明する。尚、図１と同一部材は同一の符号を付してその説明を省略する。締具３を長手方向に摺動可能に内蔵した連結具１０４の前部に２つの摺動窓１０４Ｈを相対位置に形成する。また、前リング１０５には筒部周面より突出した係止部１０５Ｂを形成するとともに、筒部前端に外鍔１０５Ｄを形成する。この前リング１０５を連結具１０４の前方より挿入し、前記前リング１０５の係止部１０５Ｂが撓んで連結具１０４の摺動窓１０４Ｈ内に挿入される。この時、前リング１０５の係止部１０５Ｂは連結具１０４の摺動窓１０４Ｈ内を長手方向に適宜摺動可能に構成される。前記前リング１０５の前部内段１０５Ｃと芯保持チャック１の外段１Ｄとの間に取付時荷重が１０ｇ程度で前スプリング６を張架する。この機構部においても、部品が外れてバラバラになってしまう恐れはない。
【００２７】
この実施例２の場合には、連結具１０４の前進は連結具１０４の前端が前リング１０５の外鍔１０５Ｄに当接されることによって停止される。また、締具３の前進は締具３の前端が前リング１０５に当接されることによって停止される。この場合も、前リング１０５に対する連結具１０４の移動距離より、前リング１０５に対する締具３の移動距離の方が長く設定される。
【実施例３】
【００２８】
以下、図８に基づいて本発明における実施例３の振出式シャープペンシルを説明する。尚、図１と同一部材は同一の符号を付してその説明を省略する。芯保持チャック１０１の片１０１Ａに略半球状の突部１０１Ｅを形成し、この突部１０１Ｅを前スプリング６によって締具３のテーパー面３Ａに押し付け、芯保持チャック１０１を閉じて構成したものである。この時、芯保持チャック１０１により保持される芯７は、長手方向前方には抵抗なく移動できるが長手方向後方には締具３のテーパー面３Ａと芯保持チャック１０１の突部１０１Ｅの間でくさび作用が働き強い力で保持される。
【００２９】
尚、本発明は上記実施例に限定されるものではなく、芯ガイドと中駒を一体成型で構成することも可能であるし、中駒と芯ホルダーを一体に構成することも可能である。更に、軸筒と鞘は一体に構成しても良い。また、軸筒、鞘、芯タンクあるいは押圧部材といった部材はそれぞれ２個以上の部品を螺合、嵌合して一体化しても良い。
【産業上の利用可能性】
【００３０】
軽く振るだけで芯が繰り出せるとともに、携帯時の不必要な芯繰り出しを防止できる振出式シャープペンシルに適用できる。
【符号の説明】
【００３１】
１  芯保持チャック
２  ボール
３  締具
３Ａ  締具３のテーパー面
４  連結具
５  前リング
６  前スプリング
７  芯
８  コネクター
９  コイルスプリング
１１  芯タンク
１２  軸筒
１３  芯ホルダー
１４  中駒
１４Ａ  中駒１４の弾性片
１５  芯ガイド
１０１  芯保持チャック
１０４  連結具
１０５  前リング
【図１】
2011068051.tif 000003
【図２】
2011068051.tif 000004
【図３】
2011068051.tif 000005
【図４】
2011068051.tif 000006
【図５】
2011068051.tif 000007
【図６】
2011068051.tif 000008
【図７】
2011068051.tif 000009
【図８】
2011068051.tif 000010